(57)【要約】【課題】壁に取り付けられた吊下レールに、様々なものを載置することが可能なラックを、垂下方向に複数段連結して吊り下げることができる吊り下げラックを提供する。【解決手段】本発明は、吊下レール２に垂下状に吊り下げられた状態とされ、当該状態で載置物Ｗを搭載可能とする吊り下げラック１であって、吊り下げラック１は、側板材５と当該側板材５の下端部から突出状に設けられ且つ載置物Ｗを搭載可能とする底板材６とを側面視でＬ字形状となるように備え、吊り下げラック１の側板材５の先端部には、取付部９が形成され、吊り下げラック１の側板材５と底板材６とが付き合わさる部位に、当該吊り下げラック１の下方に位置する吊り下げラック１の取付部９が係合し、当該吊り下げラック１の下方に位置する吊り下げラック１を吊り下げ状態とする連結部８が形成されている。【選択図】図２
2020025819.tif 000002
【特許請求の範囲】
【請求項１】
吊下レールに垂下状に吊り下げられた状態とされ、当該状態で載置物を搭載可能とする吊り下げラックであって、
前記吊り下げラックは、側板材と当該側板材の下端部から突出状に設けられ且つ載置物を搭載可能とする底板材とを側面視でＬ字形状となるように備え、
前記吊り下げラックの側板材の先端部には、取付部が形成され、
前記吊り下げラックの側板材と底板材とが付き合わさる部位に、当該吊り下げラックの下方に位置する吊り下げラックの取付部が係合し、当該吊り下げラックの下方に位置する吊り下げラックを吊り下げ状態とする連結部が形成されている
ことを特徴とする吊り下げラック。
【請求項２】
前記連結部は下側が開口された溝部と、前記溝部の開口側に設けられた被係合片を有し、前記取付部は、前記被係合片に引っかかるように、前記側板材の先端部から側方に向かって張り出すように形成された係合片を有している
ことを特徴とする請求項１に記載の吊り下げラック。
【請求項３】
前記取付部は、前記吊下レールに形成された溝部に係合可能とされていることを特徴とする請求項１又は２に記載の吊り下げラック。
【請求項４】
前記連結部の溝部は、垂下状に突出し且つ互いに対面する突出壁を一対有していて、前記突出壁と前記取付部の一部とが当接することで、前記連結部に対する取付部のガタツキ乃至は揺動が抑制可能とされている
ことを特徴とする請求項１〜３のいずれかに記載の吊り下げラック。
【請求項５】
前記側板材の突出長と、前記底板材の突出長が、同長乃至は異長とされていることを特徴とする請求項１〜４のいずれかに記載の吊り下げラック。
【請求項６】
側面視におけるＬ字形状の屈曲部を中心として９０°回転し、前記側板材と底板材とを入れ替えた状態で使用可能とされていることを特徴とする請求項１〜５のいずれかに記載の吊り下げラック。
【請求項７】
前記連結部が複数形成されており、前記側板材の基端に一の連結部が形成され、前記底板材の基端に他の連結部が形成されていることを特徴とする請求項６に記載の吊り下げラック。
【請求項８】
前記取付部が、前記吊下レールに対して係合することで、吊下レールに垂下状に吊り下げられた状態となることを特徴とする請求項１〜７のいずれかに記載の吊り下げラック。
【発明の詳細な説明】
【技術分野】
【０００１】
本発明は、レールに吊り下げた上で、様々な小型の載置物を搭載することができる吊り下げラックに関する。
【背景技術】
【０００２】
従来より、壁に棚などを設置し、この棚を使用して、家や自動車の鍵、携帯電話などの小物、畳まれたタオル、洗濯洗剤、箱型のティッシュペーパーなど日用品等の様々な小型の載置物を整理整頓することが行われている。例えば、上記した小物や日用品などを載置することができる整理棚は既に市販されている。整理棚は、一般に壁に直接に取り付けるものであり、一段だけのものや、二段以上の複数段備えているものがある。
【０００３】
また一方で、例えば、ハンガーに掛けられた衣服、鞄、タオル、絵画や各種の展示物など様々なものを、壁に吊り下げて、整理整頓するための吊下げ装置が市販されている。吊下げ装置としては、長尺のレールと、このレールに取り付けられる吊り具（フック）とを備えるものである。レールは、背面側が壁面に取り付けられるレール本体と、このレール本体の正面側に取り付けられるレールカバーと、を有するもの（特許文献１参照）、及びレールカバーを備えない吊下げ装置も存在する。
【先行技術文献】
【特許文献】
【０００４】
【特許文献１】特許第４０８８１８７号公報
【発明の概要】
【発明が解決しようとする課題】
【０００５】
ところで、特許文献１のような、フックなどを介して、衣服、鞄、絵画などを吊し掛ける吊下レールに、ラックを取り付けて整理棚として使用することも行われている。この場合、整理棚としては一段だけとなるが、物品の整理は可能である。
しかしながら、さらに多くのものを一つの箇所に効率よく且つ整然として整理したいという要望が挙げられてきている。このような要望に応えるには、吊下レールに整理棚を複数段吊り下げて取り付けることが好ましい。
【０００６】
しかしながら、吊下レールに、ラック（整理棚）を複数段連結して吊り下げる技術に関しては、特許文献１には開示がなされていない。
そこで、本発明は、上記問題点に鑑み、壁に取り付けられた吊下レールに、様々なものを載置することが可能なラックを、垂下方向に複数段連結して吊り下げることができる吊り下げラックを提供することを目的とする。
【課題を解決するための手段】
【０００７】
上記の目的を達成するため、本発明においては以下の技術的手段を講じた。
本発明にかかる吊り下げラックは、吊下レールに垂下状に吊り下げられた状態とされ、当該状態で載置物を搭載可能とする吊り下げラックであって、前記吊り下げラックは、側板材と当該側板材の下端部から突出状に設けられ且つ載置物を搭載可能とする底板材とを側面視でＬ字形状となるように備え、前記吊り下げラックの側板材の先端部には、取付部が形成され、前記吊り下げラックの側板材と底板材とが付き合わさる部位に、当該吊り下げラックの下方に位置する吊り下げラックの取付部が係合し、当該吊り下げラックの下方に位置する吊り下げラックを吊り下げ状態とする連結部が形成されていることを特徴とする。
【０００８】
好ましくは、前記連結部は下側が開口された溝部と、前記溝部の開口側に設けられた被係合片を有し、前記取付部は、前記被係合片に引っかかるように、前記側板材の先端部から側方に向かって張り出すように形成された係合片を有しているとよい。
好ましくは、前記取付部は、前記吊下レールに形成された溝部に係合可能とされているとよい。
【０００９】
好ましくは、前記連結部の溝部は、垂下状に突出し且つ互いに対面する突出壁を一対有していて、前記突出壁と前記取付部の一部とが当接することで、前記連結部に対する取付部のガタツキ乃至は揺動が抑制可能とされているとよい。
好ましくは、前記側板材の突出長と、前記底板材の突出長が、同長乃至は異長とされているとよい。
【００１０】
好ましくは、側面視におけるＬ字形状の屈曲部を中心として９０°回転し、前記側板材と底板材とを入れ替えた状態で使用可能とされているとよい。
好ましくは、前記連結部が複数形成されており、前記側板材の基端に一の連結部が形成され、前記底板材の基端に他の連結部が形成されているとよい。
好ましくは、前記取付部が、前記吊下レールに対して係合することで、吊下レールに垂下状に吊り下げられた状態となるとよい。
【発明の効果】
【００１１】
本発明によれば、壁に取り付けられた吊下レールに、様々なものを載置することが可能なラックを、垂下方向に複数段連結して吊り下げることができる。
【図面の簡単な説明】
【００１２】
【図１】本発明の吊り下げラックの概略を模式的に示した図である。
【図２】本発明の吊り下げラックを連結した状態の一例を模式的に示した図である。
【図３】本発明の吊り下げラックの側面図である。
【図４Ａ】連結機構の概略を模式的に示した図である。
【図４Ｂ】連結機構の概略を模式的に示した図である（側板材と底板材とを入れ替え、側板材を載置台として使用した場合）。
【図５Ａ】本発明の吊り下げラックの変形例を模式的に示した図である。
【図５Ｂ】本発明の吊り下げラックの変形例を模式的に示した図である（側板材と底板材とを入れ替え、側板材を載置台として使用した場合）。
【図６】キャップ体の変形例（Ｌ字形状）を示す。
【図７Ａ】本発明の吊り下げラックの変形例を模式的に示した図である。
【図７Ｂ】本発明の吊り下げラックの変形例を模式的に示した図である（側板材と底板材とを入れ替え、側板材を載置台として使用した場合）。
【発明を実施するための形態】
【００１３】
以下、本発明にかかる吊り下げラックの実施形態を、図を参照して説明する。
なお、以下に説明する実施形態は、本発明を具体化した一例であって、その具体例をもって本発明の構成を限定するものではない。
図１や図２に示す如く、本発明にかかる吊り下げラック１は、様々なもの（例えば、スマートフォンなど、家や自動車の鍵などの小物）を載せることができる載置台を有し、壁に取り付けられた吊下レール２に吊り下げた状態で取り付けることができる整理棚である。
【００１４】
壁などに取り付けられた吊下レール２は、後述する吊り下げラック１を吊り下げることができるものであり、この吊下レール２に吊り下げられた吊り下げラック１に、比較的軽量な載置物Ｗを載置することが可能となっている。
吊下レール２は、長尺な部材であって、下側に開口された溝部３が形成されている。溝部３は吊下レール２の長手方向に沿って連続して形成されている。この溝部３の形状の詳細は後述するが、この溝部３に本願発明の吊り下げラック１が取り付けられる。
【００１５】
図１に、本発明の吊り下げラック１の概略を示す。図２に、本発明の吊り下げラック１を連結した状態の一例を示す。
図１に示すように、吊り下げラック１は、壁に取り付けられた吊下レール２に、一段だけ吊り下げて取り付けることもできるものである。また、図２に示すように、吊り下げラック１は、壁に取り付けられた吊下レール２に、垂下方向に複数段連結して吊り下げることができるものである。すなわち、本発明の吊り下げラック１は、ユーザーの用途によって、様々な組み付けが可能となるものである。
【００１６】
以下に、本発明の吊り下げラック１の構造の詳細を説明する。
図３に、本発明の吊り下げラック１の側面図を示す。図４に、吊り下げラック１のＬ字形状屈曲部４に設けられている連結部８の拡大概略を模式的に示す。
図１〜図４に示すように、吊り下げラック１は、鉛直方向に沿って伸びる側板材５と、この側板材５の下端部から略水平で突出状に設けられ、且つ載置物Ｗを搭載可能とする底板材６とを有し、側板材５と底板材６とが側面視でＬ字形状となるように繋がっている。この吊り下げラック１は、押出し成形によって形成されるが、板材を溶接等で接合して形成してもよい。好ましくは、吊り下げラック１は、アルミ押出し成形によって形成されるとよい。また、吊り下げラック１は、樹脂押出し成形によって形成されていてもよい。
【００１７】
図３を参照するに、吊り下げラック１を構成する二枚の板部材（側板材５、底板材６）について、その突出長さは異なっている。本実施形態では、側板材５の突出長さが底板材６の突出長さより長いものとされている。一方で、吊り下げラック１の幅（図３の紙面貫通方向の長さ）は、二枚の板部材（側板材５、底板材６）で同じとされている。
なお、二枚の板部材の突出長さや幅に関しては、載置物Ｗの大きさなどによって、適宜設定することが可能である。
【００１８】
ところで、図３に示すように、Ａ側の板部材が吊下レール２に吊り下げられる側板材５となった場合、Ｂ側の板部材は前方へ突出するように設けられる底板材６（載置台）となる。一方で、図３のＢ側の板部材が吊下レール２に吊り下げられる側板材５となった場合、Ａ側の板部材は前方へ突出するように設けられる底板材６（載置台）となる。
このように、吊り下げラック１は、側面視におけるＬ字形状をその屈曲部４を中心として９０°回転し、側板材５と底板材６とを入れ替えた状態で使用可能とされている。言い換えれば、本実施形態の吊り下げラック１は、吊り下げる状態を二通りに変更することができるようになっている。すなわち、吊り下げラック１は、載置台の奥行きを変えることができる。
【００１９】
吊り下げラック１の側板材５の上方先端には、吊下レール２の下面に形成された溝部３や、別の吊り下げラック１のＬ字形状屈曲部４に形成された連結部８に係合し、２つの吊り下げラック１を上下に連結する取付部９を有している。
図３、図４に示すように、この取付部９は、側板材５の先端部から側方（底板材６が突出する方向）に向かって張り出すように形成されている。取付部９の底面は、後述する連結部８の一方側の被係合片１５ａに係合する係合片１０とされ、取付部９の前面は、垂直に切り立った鉛直面１１とされている。一方、取付部９の背面側は、外側に凸とされた円弧状となっていて、その下部は他方側の被係合片１５ｂに係合する肩部１２とされている。
【００２０】
これら係合片１０、鉛直面１１、肩部１２は、幅方向に沿って連続状（条状）に設けられている。加えて、係合片１０に幅方向に沿って連続状に半円窪み条１３が形成されている。この半円窪み条１３に針形状の連結ピンを挿入することで、幅方向に複数吊り下げラック１を連結することができる。
この取付部９は、押出し成形や側板材５の先端部を折り曲げるなどして形成することが可能である。図１に示す如く、係合片１０は、側板材５の幅方向に沿って一方縁から他方縁に亘り連続的に形成されているが、断片的に形成されていてもよい。
【００２１】
なお、前述したように、吊り下げラック１は、側面視で９０°回転し、側板材５と底板材６とを入れ替えた状態で使用可能であるため、底板材６の先端にも取付部９が形成されている。この取付部９は、側板材５に形成された取付部９と略同じ形状を有しており、底板材６の先端部から側方（側板材５が突出する方向）に向かって張り出すように形成された係合片１０を有している。
【００２２】
例えば、図４のＡ側の板部材（側板材５）に着目すると、底板材６を向く方向に取付部９の係合片１０が形成されており、この係合片１０の内側水平面が吊下面となり、連結部８の一方側の被係合片１５ａに摺動可能で接触するものとなっている。なお、肩部１２も他方側の被係合片１５ｂに摺動可能で接触する。また、係合片１０の一方側の内側壁面（図４のＡ側の前側壁面）は、支持面となり、連結部８の突出片の内面（鉛直面１１）と接触するものとなっている。
【００２３】
このように、一対の突出壁１４，１４内（溝内）に取付部９が接触して係合されることにより、別の吊り下げラック１（図４の破線）を揺動させることなく、吊り下げることができる。
一方、吊り下げラック１の係合片１０が係合することで、吊り下げラック１とこの吊り下げラック１の下方に位置する別の吊り下げラック１とを垂下状に連結する連結部８が、吊り下げラック１のＬ字形状の屈曲部４に形成されている。言い換えれば、係合片１０と肩部１２を有する取付部９と被係合片１５ａ，１５ｂを有する連結部８とにより、複数の吊り下げラック１を連結する連結機構が形成されることとなる。言い換えれば、図４Ａ、図４Ｂに示すように、連結部８を構成する溝部７ａ，７ｂは、その下に位置する吊り下げラック１を吊り下げるための吊下部材でもある。
【００２４】
吊り下げラック１の連結部８は、幅方向に連続する溝部７ａ，７ｂを有し、この溝部７ａ，７ｂは垂下状に突出し且つ互いに対面する突出壁１４を一対有していて、この突出壁１４，１４の先端は、対面する突出壁１４に向けて略９０°屈曲し鉤爪となっている。この鉤爪が被係合片１５ａ，１５ｂである。
図３などに示すように、連結部８は２つの溝部７ａ，７ｂを有しており、側板材５の基端に一の溝部７ａが形成され、底板材６の基端に他の溝部７ｂが形成されている。図１、図２などに示すように、吊り下げラック１に形成された連結部８は、吊り下げラック１の幅方向に押出し成形などにより連続して条状に形成されている。一の溝部７ａと他の溝部７ｂとは、９０°の角度を持って対面するように配備されている。
【００２５】
連結部８、言い換えれば溝部７ａ，７ｂに関してより詳細に説明する。
図４ＡのＡ側の板部材（側板材５）に着目すると、その板部材の延設方向と反対方向に突出するように、溝部７ａ，７ｂを構成する突出壁１４が一対設けられている。
一対の突出壁１４，１４は、それぞれ先端が対面する側に折れ曲がり、被係合片１５ａ，１５ｂとなっている。一方側の被係合片１５ａに対して、取付部９の係合片１０が接触し、他方側の被係合片１５ｂに肩部１２が接触するものとなっている。また、突出壁１４の内面（前側壁面）には、取付部９の鉛直面１１が当接するものとなっている。
【００２６】
このように、連結部８の溝内に取付部９が接触して係合されることにより、下方に位置する別の吊り下げラック１（図４Ａの破線）を揺動させることなく、吊り下げることができる。
一方、図４Ｂの如く、側面視で９０°回転させて用いた場合も同様であり、連結部８の溝内に取付部９が接触して係合されることにより、下方に位置する別の吊り下げラック１（図４Ａの破線）を揺動させることなく、吊り下げることができる。
【００２７】
なお、図４Ｂに示す如く、底板材６（Ｂで示す板材）の基端に形成された連結部８に関し、この連結部８を形成する一対の突出壁１４，１４のうち、一方が短い部材となっている。加えて、側板材５の基端に形成された連結部８を形成する突出壁１４の外側壁面を被係合片１５ａ，１５ｂとして使用するようにしている。なお、底板材６の下端に形成された連結部８（溝部７ａ，７ｂ）に関し、一対の突出壁１４，１４のうち、一方が短い部材となっているが、図４Ａ、図４Ｂの変形例として、図５Ａ、図５Ｂに示すように他方の突出壁１４と同じ長さのものとしてもよい。
【００２８】
連結部８の側方には、この連結部８を保護するキャップ体１６が取り付けられるようになっている。例えば、図１に示すように、キャップ体１６は、吊下レール２に吊り下げラック１が一つ吊り下げられた状態において、その吊り下げラック１の連結部８の側方を覆うように取り付けられて保護するものでもあり、また外観を良くするものでもある。
また、図２に示すように、キャップ体１６は、吊り下げラック１と下方に位置する別の吊り下げラック１が垂下状で連結された状態において、その連結状態の連結部８を側方から覆うように取り付けられるものでもある。このキャップ体１６には、溝１６ａが設けられている。溝１６ａは、キャップ体１６を連結部８に取り付けた際、吊下された側板材５を挟み込むものとなっている。
【００２９】
このような二つの吊り下げラック１が連結状態においては、連結状態の連結部８の側方にキャップ体１６を取り付けることにより、吊下された側板材５が溝１６ａに挟み込まれて、取付部９が溝部７ａ，７ｂ内で確実に固定されるので、ぐらつくこと無く、且つ幅方向に滑ることなく吊り下げラック１を吊下することができる。また、連結部８の側方を保護するものでもあり、外観を良くするものでもある。
【００３０】
なお、キャップ体１６は、図１、図２に示すように、少なくとも連結部８を覆うことができるような部材であることが好ましい。キャップ体１６は、例えば、連結部８の断面形状と同じ略矩形状の部材であるとよい。また、キャップ体１６は、例えば、シリコン樹脂やゴムなど軟質の材料で形成されていても良い。
図６に、吊り下げラック１の両端部（連結部８を含む）をカバーして保護するキャップ体１６の変形例を示す。
【００３１】
キャップ体１６の形状に関し、吊り下げラック１がアルミ押出し成形によって形成されている場合、その吊り下げラック１の側方端部に電着塗装を施工することが難しいため、安全や外観などを考慮して、吊り下げラック１の側方端部全体を覆う部材となっていることが好ましい。
すなわち、連結部８の側方端部を覆うキャップ体１６と、側板材５の側方端部（取付部９を含む）を覆う条状のキャップ体１７ａと、底板材６の側方端部（取付部９を含む）を覆う条状のキャップ体１７ｂとを備える構成とされていることが好ましい。また、これにより、吊り下げラック１の端部は、外観が良くなり、安全に使用することができるようになる。なお、キャップ体１６は、吊り下げラック１の側方断面形状と同じＬ字形状に一体形成されていてもよい。
【００３２】
なお、図１に示す如く、吊下レール２は、長尺な部材であって、下側に開口された溝部３が形成されている。この溝部３は、吊下レール２の長手方向に沿って連続して形成されていて、側板材５の下端に形成された連結部８を構成する溝部３と略同じ構成となっている。
それ故、取付部９が吊下レール２の溝部３内に嵌め込まれて取り付けられたとき、吊下レール２の溝部３を構成する一対の突出壁１４，１４の被係合片１５ａ，１５ｂに対して、取付部９の係合片１０と肩部１２が接触するものとなっている。また、突出壁１４の内面（前側壁面）には、取付部９の鉛直面１１が当接する。このように溝部３内の側壁面に取付部９の鉛直面１１などが接触することにより、吊り下げラック１が振り子のような揺動をすることを抑制することができる。
【００３３】
なお、吊下レール２に取付部９を取り付けたり、取り外したりするに際しては、吊下レール２の端部開口から吊り下げラック１の取付部９を摺動させつつ差し入れてもよいし、取付部９の背面側のＲを利用し、溝部３にＲを滑らすように抉りつつ差し入れることで、吊下レール２に取付部９を配設することが可能となる。
次いで、本発明の吊り下げラック１の使用態様について、説明する。
【００３４】
図１に示すように、壁に取り付けられた吊下レール２の溝部３に、一つ目の吊り下げラック１を取り付ける。具体的には、一つ目の吊り下げラック１を後方に傾斜させて、側板材５の取付部９を吊下レール２の溝部３に抉るように挿入する。その状態で吊り下げラック１を下方に引くと、取付部９の背面側が吊下レール２の溝部３に挿入されて取付部９が溝部３内に嵌まり込む。これにより、底板材６（載置台）が水平状態になり、一つ目の吊り下げラック１が吊下レール２に吊り下げられる。
【００３５】
図２に示すように、一つ目の吊り下げラック１に、連結部８（側板材５の下端に形成された溝部３）を介して二つ目の吊り下げラック１を取り付ける。具体的には、二つ目の吊り下げラック１の取付部９を、一つ目の吊り下げラック１に設けられた連結部８にその側方端部から滑らすように挿入する。二つ目の吊り下げラック１の幅と、一つ目の吊り下げラック１に幅が揃うまで押し込む。
【００３６】
二つの吊り下げラック１が揃うと、一つ目の吊り下げラック１に設けられた溝部７ａ，７ｂの長手方向の両端部に、連結部８の断面形状と同じ略矩形状のキャップ体１６を取り付けて保護する。これにより、取付部９が溝部７ａ，７ｂ内で確実に固定されるので、ぐらつくこと無く、且つ幅方向に滑ることなく吊り下げラック１を吊下することができる。
この取付手順を繰り返すことにより、図１、図２必要な個数だけ吊り下げラック１を吊り下げることができる。
【００３７】
以上述べたように、本発明によれば、壁に取り付けられた吊下レール２に、様々なものを載置することが可能なラックを、垂下方向に複数段連結して吊り下げることができる。
本発明の吊り下げラック１は、側面視におけるＬ字形状の屈曲部４を中心として９０°回転し、側板材５と底板材６とを入れ替えた状態で使用することで、載置台の奥行きを変えることができる。また、本発明の吊り下げラック１は、吊下レール２にワンタッチで着脱可能であるので、移動や模様替えなどが簡単に行うことができる。
【００３８】
なお、今回開示された実施形態はすべての点で例示であって制限的なものではないと考えられるべきである。
特に、今回開示された実施形態において、明示されていない事項、例えば、作動条件や操作条件、構成物の寸法、重量などは、当業者が通常実施する範囲を逸脱するものではなく、通常の当業者であれば、容易に想定することが可能な事項を採用している。
【００３９】
例えば、図４Ａ、図４Ｂの変形例として、図７Ａ、図７Ｂに示すように、底板材６の下端に形成された連結部８の断面形状と、側板材５の下端に形成された連結部８の断面形状とを略同じとし、吊り下げラック１の屈曲部４内側が階段形状に張り出た構成としても何ら問題はない。
【符号の説明】
【００４０】
１      吊り下げラック
２      吊下レール
３      溝部（吊下レール）
４      屈曲部
５      側板材
６      底板材
７ａ    一の溝部
７ｂ    他の溝部
８      連結部
９      取付部
１０    係合片
１１    鉛直面
１２    肩部
１３    半円窪み条
１４    突出壁
１５ａ  一方側の被係合片
１５ｂ  他方側の被係合片
１６    キャップ体
１６ａ  溝
１７ａ  条状のキャップ体（側板材）
１７ｂ  条状のキャップ体（底板材）
Ｗ      載置物
【図１】
2020025819.tif 000003
【図２】
2020025819.tif 000004
【図３】
2020025819.tif 000005
【図４Ａ】
2020025819.tif 000006
【図４Ｂ】
2020025819.tif 000007
【図５Ａ】
2020025819.tif 000008
【図５Ｂ】
2020025819.tif 000009
【図６】
2020025819.tif 000010
【図７Ａ】
2020025819.tif 000011
【図７Ｂ】
2020025819.tif 000012